(57)【要約】【課題】排気ケーシング内に侵入した雨水が整流板の後部を超えて、給湯器内に入り込むのを防止できる給湯器を提供する。【解決手段】排気ケーシング４０内の整流板５０は、下板部５１と上板部５２を備える。下板部５１は、前側から後側になるにつれて斜め上方に傾斜する。上板部５２は、下板部５１の後部から前方に屈曲して折り返し、前側になるにつれて下方に傾斜する。上板部５２の上面には、雨除け部８０が固定される。雨除け部８０は、排気出口を介して外部から入射する雨水を受ける。これにより、排気出口９２を介して浅い角度で雨水が排気ケーシング４０内に入射したとしても、その雨水は、雨除け部８０が無い場合よりも排気出口９２側で、且つ上板部５２よりも上方の位置で反射する。よって、雨水は排気ケーシング４０の上部に衝突するので、整流板５０の後部を超えて筐体内に侵入するのを防止できる。【選択図】図２
2020094704.tif 000002
【特許請求の範囲】
【請求項１】
バーナからの燃焼排気の熱によって通水を加熱する熱交換器の上方に設けられ、前部が前記熱交換器よりも前方へ張り出し、前記熱交換器を上方に通過した前記燃焼排気を排出する開口を前記前部に備えた排気ケーシングと、
前記開口から前方に突出し、前記開口から排出された前記燃焼排気を、前端部に形成された排気出口から外部に排出する排気筒と、
前記排気ケーシング内に支持され、前記熱交換器を上方に通過した前記燃焼排気を受けて前記開口に向けて整流する整流板と
を備えた給湯器において、
前記整流板は、
前側から後側になるにつれて斜め上方に傾斜する下板部と、
前記下板部の後部から前方に屈曲して折り返した後、前側になるにつれて下方に傾斜し、前記排気出口の下縁部に向けて延びる上板部と
を備え、
前記上板部の上面には、当該上面よりも上方で、前記排気出口を介して外部から入射する雨水を受ける雨除け部が設けられたこと
を特徴とする給湯器。
【請求項２】
前記排気筒の前記排気出口から前記上板部の上面に延ばした仮想線を、前記排気出口を介して外部から前記雨水が入射する仮想入射線とし、当該仮想入射線と前記上板部の前記上面との仮想交点で前記仮想入射線と同一角度で反射する仮想線を、前記雨水が反射する仮想反射線とし、前記仮想入射線の入射角度を大きい方から小さい方に変化させたときに、前記仮想反射線が前記上板部の前記上面であって、前記仮想交点を除く部分と最初に接するときの前記上板部における前記仮想交点を基準点とした場合、
前記雨除け部は、少なくとも当該基準点の上方を覆うようにして設けられたこと
を特徴とする請求項１に記載の給湯器。
【請求項３】
前記排気ケーシングは、
後部において上方に立ち上がり、前方に湾曲して延びる後方湾曲部と、
前記後方湾曲部の前部から前記排気出口に向かって下方に傾斜する傾斜部と
を備え、
前記雨除け部は、自身の上面に入射して反射した前記雨水が、前記排気ケーシングの前記傾斜部の下面に衝突する高さ位置に設けられたこと
を特徴とする請求項１又は２に記載の給湯器。
【請求項４】
前記上板部は、
前側に向けて前記下板部よりも急勾配で下り傾斜する第一傾斜部と、
前記第一傾斜部の前記前端部から前記第一傾斜部よりも緩やかな勾配で下り傾斜し、前記開口の前記下縁部に向けて延びる第二傾斜部と
を備え、
前記雨除け部は、前記第二傾斜部に設けられたこと
を特徴とする請求項１から３の何れかに記載の給湯器。
【請求項５】
前記雨除け部は、
前記上板部の前記上面と、前記上面と対向する前記排気ケーシングの下面との高さ方向の中間部よりも下方に設けたこと
を特徴とする請求項１から４の何れかに記載の給湯器。
【発明の詳細な説明】
【技術分野】
【０００１】
本発明は、給湯器に関する。
【背景技術】
【０００２】
従来、筐体の上部に排気部を備えた給湯器が知られている（例えば、特許文献１参照）。排気部は、熱交換器の中ケーシングの上側に固定され、前面が開口して左右及び後部を覆うカバー状の排気ケーシングと、その排気ケーシングの内部に設けられる整流板とを備える。
【先行技術文献】
【特許文献】
【０００３】
【特許文献１】特開２０１８−３１４８９号公報
【発明の概要】
【発明が解決しようとする課題】
【０００４】
しかしながら、特許文献１に記載の給湯器において、排気部に対し、雨水が浅い角度で侵入した場合、侵入角度が深い場合に比べ、排気ケーシングの内壁や整流板に衝突することなく、整流板の後部を超えて排気ケーシングの奥側に雨水が入り込む可能性があった。特に、給湯器の薄型化に伴い、排気ケーシングの前後方向の長さが短くなったり、燃焼音、及び燃焼振動を抑制する為、通過面積を広くした場合に、その可能性はさらに高くなることが予想される。
【０００５】
本発明の目的は、排気ケーシング内に侵入した雨水が整流板の後部を超えて、給湯器内に入り込むのを防止できる給湯器を提供することである。
【課題を解決するための手段】
【０００６】
請求項１の給湯器は、バーナからの燃焼排気の熱によって通水を加熱する熱交換器の上方に設けられ、前部が前記熱交換器よりも前方へ張り出し、前記熱交換器を上方に通過した前記燃焼排気を排出する開口を前記前部に備えた排気ケーシングと、前記開口から前方に突出し、前記開口から排出された前記燃焼排気を、前端部に形成された排気出口から外部に排出する排気筒と、前記排気ケーシング内に支持され、前記熱交換器を上方に通過した前記燃焼排気を受けて前記開口に向けて整流する整流板とを備えた給湯器において、前記整流板は、前側から後側になるにつれて斜め上方に傾斜する下板部と、前記下板部の後部から前方に屈曲して折り返した後、前側になるにつれて下方に傾斜し、前記排気出口の下縁部に向けて延びる上板部とを備え、前記上板部の上面には、当該上面よりも上方で、前記排気出口を介して外部から入射する雨水を受ける雨除け部が設けられたことを特徴とする。
【０００７】
請求項２の給湯器は、前記排気筒の前記排気出口から前記上板部の上面に延ばした仮想線を、前記排気出口を介して外部から前記雨水が入射する仮想入射線とし、当該仮想入射線と前記上板部の前記上面との仮想交点で前記仮想入射線と同一角度で反射する仮想線を、前記雨水が反射する仮想反射線とし、前記仮想入射線の入射角度を大きい方から小さい方に変化させたときに、前記仮想反射線が前記上板部の前記上面であって、前記仮想交点を除く部分と最初に接するときの前記上板部における前記仮想交点を基準点とした場合、前記雨除け部は、少なくとも当該基準点の上方を覆うようにして設けるとよい。
【０００８】
請求項３の給湯器の前記排気ケーシングは、後部において上方に立ち上がり、前方に湾曲して延びる後方湾曲部と、前記後方湾曲部の前部から前記排気出口に向かって下方に傾斜する傾斜部とを備え、前記雨除け部は、自身の上面に入射して反射した前記雨水が、前記排気ケーシングの前記傾斜部の下面に衝突する高さ位置に設けるとよい。
【０００９】
請求項４の給湯器の前記上板部は、前側に向けて前記下板部よりも急勾配で下り傾斜する第一傾斜部と、前記第一傾斜部の前記前端部から前記第一傾斜部よりも緩やかな勾配で下り傾斜し、前記開口の前記下縁部に向けて延びる第二傾斜部とを備え、前記雨除け部は、前記第二傾斜部に設けるとよい。
【００１０】
請求項５の給湯器の前記雨除け部は、前記上板部の前記上面と、前記上面と対向する前記排気ケーシングの下面との高さ方向の中間部よりも下方に設けるとよい。
【発明の効果】
【００１１】
請求項１の給湯器によれば、排気筒の排気出口を介して浅い角度で雨水が排気ケーシング内に入射したとしても、その雨水は、雨除け部が無い場合よりも排気出口側で、且つ上板部よりも上方の位置で反射する。よって、雨水は、排気ケーシングの上部に衝突するので、排気部の後部を超えて、給湯器内に侵入するのを防止できる。なお、「浅い角度で雨水が排気ケーシング内に入射」について、垂直落下方向に近ければ近いほど、排気出口に対する入射角度は深く、水平方向に近ければ近いほど、排気出口に対する入射角度は浅いことを意味する。また、排気出口に対する入射角度が浅ければ浅いほど、整流板の上板部に対する入射角度は小さくなる。
【００１２】
請求項２の給湯器によれば、仮想入射線の入射角度を大きい方から小さい方に変化させたときに、仮想反射線が上板部の上面に最初に接するときの上板部における仮想交点を基準点とし、その上方を覆うようにして雨除け部を設ける。これにより、雨除け部が無い場合に排気ケーシングの奥側に入り込んでしまう雨水を、雨除け部で受けることができるので、排気ケーシングの上部に確実に衝突させることができる。
【００１３】
請求項３の給湯器によれば、雨除け部の上面に反射した雨水は、排気ケーシングの下面のうち傾斜部の下面に衝突し、傾斜部の下面を伝って排気出口側に流れる。これにより、雨水が整流板の後部を超えて、給湯器内に侵入するのを防止できる。
【００１４】
請求項４の給湯器によれば、雨除け部は緩傾斜部に設けられるので、上板部の後部で前方に折り返された燃焼排気が雨除け部に移動するまでの助走距離を長くできる。よって、雨除け部が燃焼排気の流れを妨げるのを抑制できるので、燃焼排気を排気口から円滑に排出できる。
【００１５】
請求項５の給湯器によれば、上板部の上方を通過する燃焼排気の流れを妨げるのを防止できるので、燃焼排気を円滑に排出できる。
【図面の簡単な説明】
【００１６】
【図１】給湯器１の断面図である。
【図２】排気部３０周辺の断面図である。
【図３】整流板５０の平面図である。
【図４】排気ケーシング４０内に降り込んだ雨水Ａ１、Ａ２の各経路を示す図（雨除け部は省略）である。
【図５】排気ケーシング４０内に降り込んだ雨水Ａ３、Ａ４、Ａ５の各経路を示す図（雨除け部は省略）である。
【図６】排気ケーシング４０内に降り込んだ雨水の仮想入射線Ｐ、反射点Ｑ１、Ｑ２、仮想反射線Ｒ１、Ｒ２を示す図である。
【発明を実施するための形態】
【００１７】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００１８】
図１を参照し、給湯器１の構造を説明する。給湯器１は、筐体２とフロントカバー８を備える。筐体２の前面には開口７が設けられる。フロントカバー８は、筐体２の前面に着脱可能であって、開口７を閉塞する。フロントカバー８の上部には、排気筒９が前方に突出し、下部には吸気口（図示略）が設けられる。筐体２の底板４には、外部の給湯栓へ繋がる出湯口１１、外部から水道管が接続される入水口１２、外部からガス管が接続されるガス入口（図示略）が夫々設けられる。筐体２の背板６の上部と下部には、壁取付用の金具１６Ａ、１６Ｂが夫々設けられる。
【００１９】
筐体２内の上部には、内胴１７が設けられる。内胴１７は、内部において下方から順に、バーナユニット１８、熱交換器１９、排気部３０を備える。バーナユニット１８は、熱交換器１９と連通する下ケーシング２１を有し、下ケーシング２１の下部に複数のバーナ１８１を左右方向に並べて備える。下ケーシング２１の手前側には、ノズル台２２が設けられる。ノズル台２２は、各バーナ１８１に設けた混合管１８２の後端に向けて設置され、ガス入口にガス管（図示略）を介して接続されるノズル２２１を支持する。バーナユニット１８の下方には、各バーナ群に燃焼用空気を供給する給気ファン２５が設けられる。
【００２０】
熱交換器１９は、左右方向に所定間隔をおいて複数枚積層したフィン（図示略）を左右方向に貫通し、中ケーシング２６内部で平行に配設される複数の伝熱管１９Ａを有する。隣接する伝熱管１９Ａ同士は、中ケーシング２６の外部でＵ字状の接続管（図示略）によって連結されることで、蛇行状に繋がる一連の管体を形成する。熱交換器１９の管体の上流端には、入水口１２と接続される入水管２７の下流端が接続され、当該管体の下流端には、出湯口１１に接続される出湯管（図示略）が接続される。バーナユニット１８からの燃焼排気が伝熱管１９Ａ同士の隙間を通過することによって、伝熱管１９Ａの通水との間で熱交換が行われ、伝熱管１９Ａの通水が加熱される。
【００２１】
排気部３０は、排気ケーシング４０と整流板５０を備える。排気ケーシング４０は、中ケーシング２６の上部に固定され、排気筒９と連通する。排気ケーシング４０は、前部が熱交換器１９よりも前方へ張り出す。整流板５０は、排気ケーシング４０内に支持され、熱交換器１９から排気ケーシング４０内に流入した燃焼排気の排気通路を形成する。
【００２２】
図２を参照し、排気ケーシング４０の形状を説明する。排気ケーシング４０は、後部において上方に膨出し、前方へ向かうに従って徐々に低くなる形状を備える。排気ケーシング４０は前部に開口４００を有する。開口４００は、正面視下側に開口する略コの字型である。排気ケーシング４０は、後方から前方にかけて順に、湾曲部４１、最上部４２、急傾斜部４３、緩傾斜部４４を備え、それらの左右両側に一対の側面部４５（図２では、左側の側面部４５のみ図示）を備える。湾曲部４１は、上方に立ち上がりつつ前方に湾曲する。最上部４２は、湾曲部４１の前端部から前方に向けて略水平に延びる。急傾斜部４３は、最上部４２の前端部から急な角度で斜め下方に傾斜する。緩傾斜部４４は、急傾斜部４３の前端部から急傾斜部４３よりも緩い角度で傾斜し、前方に延びる。一対の側面部４５は、湾曲部４１、最上部４２、急傾斜部４３、緩傾斜部４４の左右両端部から垂下し、排気ケーシング４０の左右の両側面を形成する。
【００２３】
排気ケーシング４０は、取付フランジ部４６、上側フランジ部４７、外側折返部４８、加締め部４９を更に備える。取付フランジ部４６は、排気ケーシング４０の前端部であって、緩傾斜部４４の前端部と、一対の側面部４５の夫々の前端部とに沿って設けられる。取付フランジ部４６は、外側に向かってフランジ状に突出し、正面視下方に開口する略コの字型に形成される。上側フランジ部４７は、湾曲部４１の下端部と、一対の側面部４５の夫々の下端部とに沿って設けられる。上側フランジ部４７は、外側に向かってフランジ状に突出し、底面視前方に開口する略コの字型に形成される。外側折返部４８は、上側フランジ部４７の外周部に沿って設けられ、下方に折り返して突出する。加締め部４９は、外側折返部４８の下端部に沿って設けられる。上側フランジ部４７の下側に、中ケーシング２６の上端部に設けられた下側フランジ部２６１を配置し、加締め部４９を内側に折り曲げて加締め固定する。これにより、中ケーシング２６の上部に、排気ケーシング４０が固定される。
【００２４】
一対の側面部４５の夫々には、上側挟持部４５１と下側挟持部４５２が設けられる。上側挟持部４５１は、側面部４５における最上部４２の近傍に設けられ、内側に向けて略矩形状に突出する。上側挟持部４５１の下面には、整流板５０の後述する上板部５２の上面が接触する。なお、上側挟持部４５１は絞り加工で形成するとよい。下側挟持部４５２は、上側挟持部４５１の下方で且つ後方寄りに設けられ、内側に向けて略矩形状に突出する。下側挟持部４５２の上面は、前側に下り傾斜する。下側挟持部４５２の下面には、整流板５０の後述する下板部５１の下面が接触する。これにより、上側挟持部４５１と下側挟持部４５２は、整流板５０の後部を上下両側から挟み込んで支持する。
【００２５】
最上部４２の上面には、側面視略Ｌ字状のブラケット５５の一端部がネジ３８で固定される。ブラケット５５の他端部は、筐体２の背板６にネジ（図示略）で固定される。これにより、排気ケーシング４０は、筐体２の背面に固定される。
【００２６】
図２、図３を参照し、整流板５０の形状を説明する。整流板５０は、下板部５１、上板部５２、雨除け部８０を備える。下板部５１は、平面視略矩形状に形成され、前側から後側になるにつれて斜め上方に傾斜する。下板部５１の後端部には、上方に略直角に屈曲する下側係合部５１１が設けられる。下板部５１の前端部には、前方に向けて略水平に延び、その先端側が下方に略直角に折り返した側面視略逆Ｌ字状の取付片５１２が設けられる。下板部５１の前側の領域には、三つの支持部５１３（図２では一つのみ図示）が左右方向に間隔をあけて設けられる。支持部５１３は、平面視略矩形状で上方に突出する。支持部５１３の上面には、後述する上板部５２の下面が接触する。これにより、支持部５１３は、上板部５２を支持する。
【００２７】
上板部５２は、下板部５１の上側に支持され、平面視略矩形状に形成される。上板部５２の後端部には、下方に屈曲する上側係合部５２１が設けられる。上側係合部５２１は、下板部５１の下側係合部５１１と係合する。上板部５２は、後方から順に、傾斜部６１、水平部６２、後側傾斜部６３、前側傾斜部６４を備える。傾斜部６１は、平面視略矩形状であって、上側係合部５２１の上端部から前側に向かって上り傾斜する。水平部６２は、傾斜部６１の上端部から前側に向かって略水平に延び、排気ケーシング４０の最上部４２の下面と対向する。
【００２８】
後側傾斜部６３は、水平部６２の前端部から急な角度で斜め下方に傾斜する。後側傾斜部６３の傾斜角度は、排気ケーシング４０の急傾斜部４３の傾斜角度と略同一である。後側傾斜部６３は、排気ケーシング４０の急傾斜部４３の下方に位置し、且つその下面と対向する。前側傾斜部６４は、後側傾斜部６３の前端部から後側傾斜部６３よりも緩い角度で傾斜し、排気ケーシング４０の開口４００から前方に突出する。下板部５１の下側係合部５１１、上板部５２の上側係合部５２１、傾斜部６１は、整流板５０の後端部に略Ｕ字状の折り返し部を形成する。
【００２９】
整流板５０が上記形状を備えることにより、排気ケーシング４０内には、整流板５０の下方で、下板部５１の傾斜に沿って後方へ移動した後、整流板５０の後部の折り返し部に沿って上方へ回り込んで前方へＵターンし、上板部５２の上方で前方へ移動して開口４００に達する排気通路が形成される（図２中二点鎖線が示す燃焼排気の流れ参照）。
【００３０】
雨除け部８０は、前側傾斜部６４の上面に固定される。雨除け部８０は、平面視左右方向に長い略矩形状に形成され、排気筒９から排気ケーシング４０内の整流板５０に向かって勢いよく入射する雨水を受ける。雨除け部８０に当たって後方に跳ね返った雨水は、排気ケーシング４０の緩傾斜部４４の下面に衝突するようになっている。緩傾斜部４４の下面に衝突した雨水は、整流板５０の前側傾斜部６４上に落下する。これにより、排気ケーシング４０内において、雨水が整流板５０の後部を超えて、筐体２内に侵入するのを防止できる。
【００３１】
雨除け部８０は、受板８１、右支持部８２、左支持部８３を備える。受板８１は、平面視左右方向に延びる略矩形状に形成され、排気筒９を介して排気ケーシング４０内に入射する雨水を受ける。右支持部８２は、受板８１の右端部から垂下し、その下端側が右方に折り返された正面視略Ｌ字状に形成される。左支持部８３は、受板８１の左端部から垂下し、その下端側が左方に折り返された正面視略逆Ｌ字状に形成される。右支持部８２と左支持部８３の夫々の下端側は、前側傾斜部６４の上面に固定（例えばスポット溶接等）される。これにより、受板８１は、前側傾斜部６４の上面から所定の高さ位置（後述する高さＨ）に、前側傾斜部６４の上面に対して平行に支持される。なお、雨除け部８０の固定位置と、受板８１の高さＨについては、後述する。
【００３２】
図２を参照し、排気筒９の構造を説明する。排気筒９は、前後方向に延びる略四角筒状に形成される。排気筒９の前端部には、内側に向けて屈曲されたバーリング部９１が設けられる。そのバーリング部９１の内側に、排気出口９２が設けられる。排気出口９２は、正面視左右方向に長い略矩形状に形成される。排気筒９の後端部には、外方に向けてフランジ状に突出するフランジ部９３が設けられる。フランジ部９３は正面視略矩形リング状に形成される。フランジ部９３の外周部には、内側に折り返された加締め片９４が設けられる。
【００３３】
フランジ部９３の後面に対して、排気ケーシング４０の前端部に設けられた取付フランジ部４６と、整流板５０の下板部５１の前端部に設けられた取付片５１２が配置され、加締め片９４で加締められる。これにより、排気ケーシング４０の前端部と、整流板５０の下板部５１の前端部に対し、排気筒９が固定される。排気ケーシング４０の開口４００の前方に、排気筒９の排気出口９２が配置される。これにより、排気筒９は、排気ケーシング４０の開口４００から流れる燃焼排気を排気出口９２から良好に排出できる。整流板５０の下板部５１の前端部は、排気ケーシング４０の開口４００を介して、排気筒９の排気出口９２の下縁部付近まで延びる。
【００３４】
上記構造を有する排気筒９は、フロントカバー８の上部に設けられた筒用固定穴（図示略）に対して背面側から挿入され、フロントカバー８の背面に固定される。これにより、排気筒９がフロントカバー８の上部において前方に突出する状態で固定される。
【００３５】
図４〜図６を参照し、雨除け部８０の固定位置と高さ位置を説明する。説明の便宜上、図４、図５では、雨除け部８０を省略する。図４、図５中二点鎖線で示すＡ１〜Ａ５は、整流板５０の上板部５２の上面に対する入射角度を大きい方から小さい方に変化させたときの雨水の経路を示す。図４では、雨水Ａ１、Ａ２の経路、図５では、雨水Ａ３〜Ａ５の経路を示す。雨水は無風のとき、垂直に落下するが、風（空気の流れ）等の影響により、その落下する角度は変化する。落下する角度によって、雨水は、排気筒９の排気出口９２から排気ケーシング４０内に降り込む場合がある。雨水が排気ケーシング４０内に降り込んだ場合、整流板５０の上板部５２（前側傾斜部６４又は後側傾斜部６３）の上面に当たって後方に跳ね返る。雨水の跳ね返る方向は、前側傾斜部６４の上面に対する雨水の入射角度によって変化する。
【００３６】
図４に示すように、雨水Ａ１、Ａ２は入射角度が比較的大きいので、整流板５０の前側傾斜部６４の上面の前側に当たって斜め上方に跳ね返った後、排気ケーシング４０の緩傾斜部４４の下面に衝突する。緩傾斜部４４の下面に衝突した雨水は、緩傾斜部４４を伝って排気出口９２側に流れるか、前側傾斜部６４の上面に落下して排気出口９２側に流れる。従って、雨水Ａ１、Ａ２においては、前側傾斜部６４の上面に当たって跳ね返っても、排気ケーシング４０の奥側に入り込むことはない。
【００３７】
ところが、図５に示すように、雨水Ａ３、Ａ４は、排気出口９２に対して浅い角度で入射し、雨水Ａ１、Ａ２に比べて入射角度が小さいので、整流板５０の前側傾斜部６４の上面の中央よりも後端側に当たる。雨水Ａ３は、前側傾斜部６４の上面の中央に当たって斜め上方に跳ね返った後、緩傾斜部４４には衝突せず、最上部４２の下面に衝突する。最上部４２の下面に衝突した雨水の一部は、最上部４２と湾曲部４１を伝って後方に流れ落ちたり、整流板５０の水平部６２の上面に落下する場合がある。水平部６２の上面に落下した雨水の一部は、傾斜部６１を伝って後方に流れ落ちる場合がある。
【００３８】
雨水Ａ４は、雨水Ａ３よりもさらに入射角度が小さい。それ故、前側傾斜部６４の上面の後側に当たって斜め上方に跳ね返った後は、整流板５０における水平部６２と傾斜部６１が接続する角部Ｃ上を通過し、最上部４２の下面のうち後側に衝突する。最上部４２の下面に衝突した雨水は、最上部４２と湾曲部４１を伝って後方に流れ落ちたり、整流板５０の傾斜部６１の上面に落下する場合がある。傾斜部６１の上面に落下した雨水は、そのまま後方に流れ落ちる場合がある。
【００３９】
雨水Ａ５は、排気出口９２に対してほぼ水平に吹き込む雨水であって、例えば台風や竜巻等の暴風の場合に想定される。雨水Ａ５は、雨水Ａ４よりもさらに入射角度が小さい。それ故、雨水Ａ５は、整流板５０の前側傾斜部６４の上方を通過し、後側傾斜部６３の上面に当たる。後側傾斜部６３は、前側傾斜部６４よりも急な角度で傾斜するので、後側傾斜部６３に当たった雨水Ａ５は上方に跳ね返り、排気ケーシング４０の急傾斜部４３の下面に衝突する。急傾斜部４３の下面に衝突した雨水は、そのまま急傾斜部４３と緩傾斜部４４を伝って排気出口９２側に流れるか、後側傾斜部６３の上面に落下して排気出口９２側に流れる。従って、雨水Ａ５においては、雨水Ａ１、Ａ２と同様に、排気ケーシング４０の奥側に入り込むことはない。
【００４０】
なお、雨水Ａ１〜Ａ４は、排気出口９２の上縁部付近を通過して、整流板５０の上板部５２の上面に入射する雨水の例である。これに対し、排気出口９２の上縁部よりも下方を通過して、上板部５２の上面に雨水Ａ１〜Ａ４と同一角度で入射する雨水の場合、その経路は、雨水Ａ１〜Ａ４の経路を下方に平行移動したものとなる。従って、上板部５２の上面における雨水の入射位置は、上縁部付近を通過して入射する雨水の入射位置よりも前側に位置する。よって、上板部５２の上面に当たって跳ね返った後に、排気ケーシング４０に衝突する位置も前側に位置する。つまり、上縁部付近を通過して入射する雨水において、排気ケーシング４０に衝突する位置が緩傾斜部４４であれば、上縁部よりも下方を通過して入射する雨水においても緩傾斜部４４に衝突する。よって、本実施形態では、排気出口９２の上縁部付近を通過する雨水の経路で、上板部５２の上面に当たって跳ね返った後の排気ケーシング４０に衝突する位置を確認する。
【００４１】
このように、雨水Ａ１〜Ａ５のうち、入射角度の小さい雨水Ａ３とＡ４においては、整流板５０の前側傾斜部６４の上面に当たって跳ね返った後、緩傾斜部４４及び急傾斜部４３の何れにも衝突しないので、排気ケーシング４０の奥側に入り込み、筐体２の内部に流れ落ちる可能性がある。入射角度の小さい雨水Ａ３、Ａ４について、前側傾斜部６４の上面に入射して跳ね返った後、排気ケーシング４０の緩傾斜部４４又は急傾斜部４３に衝突させるには、前側傾斜部６４の上面に入射する雨水の入射位置を前方に移動させ、排気ケーシング４０に衝突する衝突位置を前方に移動させればよい。そこで、本実施形態では、図２に示すように、整流板５０の前側傾斜部６４の上面に雨除け部８０を固定し、前側傾斜部６４の上面の入射位置よりも高い位置で雨水を受ける。これによって、排気ケーシング４０に対する衝突位置を前方に移動させることができる。
【００４２】
上記の通り、雨水Ａ４は、前側傾斜部６４の上面の後側に当たって斜め上方に跳ね返った後、整流板５０の角部Ｃ上を通過し、排気ケーシング４０の最上部４２の下面に衝突する。雨水の入射角度をＡ４より小さくすると、前側傾斜部６４の上面に当たって跳ね返った雨水は、整流板５０の後側傾斜部６３の上面に衝突する。後側傾斜部６３は、前側傾斜部６４よりも急な角度で傾斜するので、後側傾斜部６３に衝突した雨水は、後側傾斜部６３に沿って前方に流れるか、上方に跳ね返った後に、排気ケーシング４０の急傾斜部４３の下面に当たって前方に流れるので、排気ケーシング４０の奥側に入り込まない。
【００４３】
一方、雨水の入射角度をＡ４より大きくすると、前側傾斜部６４の上面に対する入射位置は、雨水Ａ３、Ａ２、Ａ１のように前方に移動する（図４、図５参照）。そして、雨水Ａ３では、前側傾斜部６４の上面に当たって跳ね返った後、排気ケーシング４０の最上部４２の下面に衝突するが、雨水Ａ２では、緩傾斜部４４の下面に衝突する。このことから、前側傾斜部６４の上面において、例えば、雨水Ａ２の入射位置から少なくとも雨水Ａ４の入射位置までの範囲において、前側傾斜部６４の上面よりも高い位置で雨水を跳ね返せば、排気ケーシング４０の緩傾斜部４４の下面に衝突させることができる。
【００４４】
そこで、図６に示すように、本実施形態では、排気筒９の排気出口９２の上縁部から整流板５０の上板部５２の上面に延ばした仮想線を、排気出口９２を介して外部から雨が入射する仮想入射線Ｐとし、当該仮想入射線Ｐと上板部５２の前側傾斜部６４の上面との仮想交点を、反射点Ｑ１とし、該反射点Ｑ１において仮想入射線Ｐと同一角度で反射する仮想線を、雨が反射する仮想反射線Ｒ１とする。そして、仮想入射線Ｐの入射角度を大きい方から小さい方に変化させたときに、仮想反射線Ｒ１が上板部５２の角部Ｃと最初に接するときの上板部５２における仮想交点Ｑ１を基準点Ｑ１とする。なお、角部Ｃは、水平部６２と後側傾斜部６３における頂点に相当する。このときの仮想入射線Ｐと仮想反射線Ｒ１で形成される経路は、雨水Ａ４の経路と一致する。
【００４５】
そして、整流板５０の前側傾斜部６４の上面において、少なくともこの基準点Ｑ１の上方を覆うようにして、雨除け部８０が固定される。受板８１は、前側傾斜部６４の上面に対して平行になるように支持される。この構成により、排気出口９２を介して外部から入射する仮想入射線Ｐは、受板８１上の仮想交点Ｑ２で反射する。つまり、雨水Ａ４は、雨除け部８０が無い場合よりも排気出口９２側で、且つ上板部５２よりも上方の位置で反射する。反射点Ｑ２において仮想入射線Ｐと同一角度で反射する仮想線は、仮想反射線Ｒ２である。反射点がＱ１からＱ２に移動したことに伴い、仮想反射線もＲ１からＲ２に平行移動する。仮想反射線Ｒ２は、排気ケーシング４０の緩傾斜部４４の下面に衝突する。つまり、雨水Ａ４は、雨除け部８０の受板８１上の反射点Ｑ２で反射し、仮想反射線Ｒ２の経路に沿って飛ぶことにより、排気ケーシング４０の緩傾斜部４４の下面に衝突する。
【００４６】
さらに、雨除け部８０の受板８１は、前側傾斜部６４の上面における雨水Ａ３の入射位置（図５参照）の上方も覆っているので、雨水Ａ４と同様に、受板８１の上面に当たって跳ね返った雨水Ａ３は、排気ケーシング４０の緩傾斜部４４の下面に衝突する。これにより、雨水Ａ３、Ａ４のように、排気筒９の排気出口９２を介して浅い角度で入射したとしても、排気部３０は、雨水Ａ３、Ａ４が整流板５０の後部を超えて、筐体２内に侵入するのを防止できる。
【００４７】
なお、前側傾斜部６４の上面において、受板８１で覆う領域については、基準点Ｑ１を含め、前側傾斜部６４の上面に当たって跳ね返った後に、排気ケーシング４０の最上部４２に衝突してしまう雨水の前側傾斜部６４の上面に対する入射位置を少なくとも覆うようにするとよい。これにより、前側傾斜部６４の上面に当たって跳ね返った雨水を、緩傾斜部４４に確実に衝突させることができる。
【００４８】
また、上記の通り、基準点Ｑ１は、上板部５２のうち、前側傾斜部６４上に設定されるので、雨除け部８０は、前側傾斜部６４に固定される。これにより、上板部５２の後部で前方に折り返された燃焼排気は、後側傾斜部６３上を流れた後で、前側傾斜部６４上の雨除け部８０に到達する。つまり、燃焼排気が雨除け部８０に移動するまでの助走距離を長くできる。よって、雨除け部８０が燃焼排気の流れを妨げるのを抑制できるので、排気部３０は、燃焼排気を排気出口９２から円滑に排出できる。
【００４９】
また、雨除け部８０の受板８１の高さＨは、仮想反射線Ｒ２が排気ケーシング４０の緩傾斜部４４の下面に確実に衝突するように設定するとよい。高さＨは、前側傾斜部６４の上面からの高さである。仮に高さＨが低過ぎる場合、前側傾斜部６４の上面と高さ位置がほぼ変わらず、緩傾斜部４４の下面に衝突しない可能性がある。緩傾斜部４４の下面に衝突できる高さＨを規定することで、受板８１上の反射点Ｑ２で反射させた雨水Ａ４を、緩傾斜部４４の下面に確実に衝突させることができる。
【００５０】
さらに、雨除け部８０は、受板８１が、前側傾斜部６４の上面と、該上面と対向する排気ケーシング４０の緩傾斜部４４の下面との高さ方向の中間部よりも下方に位置するように設けるのがよい。これにより、上板部５２の上方を通過する燃焼排気の流れを妨げるのを防止できるので、排気出口９２から燃焼排気を円滑に排出できる。
【００５１】
なお、上記の通り、雨水Ａ５のように、排気出口９２に対してより浅い角度で入射し、雨除け部８０に当たらない雨水については、整流板５０の後側傾斜部６３に衝突するので、そのような雨水が筐体２内に侵入することもない。
【００５２】
以上説明したように、本実施形態の給湯器１は、排気ケーシング４０、排気筒９、整流板５０を備える。排気ケーシング４０は、バーナ１８１からの燃焼排気の熱によって通水を加熱する熱交換器１９の上方に設けられ、前部が熱交換器１９よりも前方へ張り出し、熱交換器１９を上方に通過した燃焼排気を排出する開口４００を前部に備える。排気筒９は、開口４００から前方に突出し、開口４００から排出された燃焼排気を、前端部に形成された排気出口９２から外部に排出する。整流板５０は、排気ケーシング４０内に支持され、熱交換器１９を上方に通過した燃焼排気を受けて開口４００に向けて整流する。整流板５０は、下板部５１と上板部５２を備える。下板部５１は、前側から後側になるにつれて斜め上方に傾斜する。上板部５２は、下板部５１の後部から前方に屈曲して折り返した後、前側になるにつれて下方に傾斜し、排気出口９２の下縁部に向けて延びる。
【００５３】
上記構成において、上板部５２の上面には、雨除け部８０が固定される。これにより、排気筒９の排気出口９２を介して浅い角度で雨水が排気ケーシング４０内に入射したとしても、その雨水は、雨除け部８０が無い場合よりも排気出口９２側で、且つ上板部５２よりも上方の位置で反射する。よって、雨水は、排気ケーシング４０の上部に衝突するので、整流板５０の後部を超えて筐体２内に侵入するのを防止できる。
【００５４】
なお、排気筒９の排気出口９２から上板部５２の上面に延ばした仮想線を、排気出口９２を介して外部から雨水が入射する仮想入射線Ｐとし、当該仮想入射線Ｐと上板部５２の上面との仮想交点で仮想入射線Ｐと同一角度で反射する仮想線を、雨水が反射する仮想反射線Ｒ１とし、仮想入射線Ｐの入射角度を大きい方から小さい方に変化させたときに、仮想反射線Ｒ１が上板部５２の上面と最初に接するときの上板部５２における仮想交点を基準点Ｑ１とした場合、雨除け部８０は、少なくともその基準点Ｑ１の上方を覆うようにして設けられるのがよい。
【００５５】
上記説明において、排気ケーシング４０の湾曲部４１と最上部４２は、本発明の「後方湾曲部」の一例であり、急傾斜部４３と緩傾斜部４４は、本発明の「傾斜部」の一例である。整流板５０の上板部５２の後側傾斜部６３は、本発明の「第一傾斜部」の一例であり、前側傾斜部６４は、本発明の「第二傾斜部」の一例である。
【００５６】
なお、本発明は上記実施形態に限定されるものではなく、種々の変更が可能である。本実施形態の排気ケーシング４０は、傾斜角度が異なる急傾斜部４３と緩傾斜部４４を備え、二段階で傾斜するが、一つの傾斜部であってもよい。
【００５７】
整流板５０は、下板部５１と上板部５２の二部材で構成するが、一枚の板金を折り曲げて形成してもよい。上板部５２は、傾斜角度が異なる後側傾斜部６３と前側傾斜部６４を備えることで、二段階で傾斜するが、さらに多段階で傾斜していてもよく、一つの傾斜部であってもよい。また、傾斜部は、直線的に傾斜する以外に、例えば曲線的に傾斜していてもよい。また、排気ケーシング４０内における整流板５０の支持構造は、上記実施形態に限定されない。
【００５８】
雨除け部８０は、受板８１を右支持部８２と左支持部８３で支持する構造であるが、これ以外の構造でもよく、例えば、所定の厚み（例えば、高さＨと同一厚み）を有する受板を整流板５０の上板部５２上に直接固定してもよい。
【００５９】
雨除け部８０は、排気出口９２を介して入射した雨水を受け、排気ケーシング４０の緩傾斜部４４に衝突させるが、雨除け部８０を固定する位置によっては、急傾斜部４３に衝突させてもよい。
【００６０】
上記実施形態の排気部３０は、整流板５０の上板部５２の上面に向けて入射する雨水を、雨除け部８０の受板８１で受けることによって、排気ケーシング４０の緩傾斜部４４の下面に衝突させ、排気出口９２側により確実に流すものであるが、整流板５０の上板部５２の上面に当たって跳ね返った雨水が、排気ケーシング４０の最上部４２の後端側に衝突しなければよい。よって、雨除け部８０の受板８１で受けることによって、排気ケーシング４０の最上部４２の前端側に衝突させても本願の効果は得られる。
【００６１】
排気筒９の前端部に設けられたバーリング部９１は省略してもよい。
【符号の説明】
【００６２】
１    給湯器
９    排気筒
１９    熱交換器
４０    排気ケーシング
４１    湾曲部
４２    最上部
４３    急傾斜部
４４    緩傾斜部
５０    整流板
５１    下板部
５２    上板部
６３    後側傾斜部
６４    前側傾斜部
８０    雨除け部
９２    排気出口
１８１    バーナ
４００    開口
Ｐ１    仮想入射線
Ｑ１    基準点
Ｒ１    仮想反射線
【図１】
2020094704.tif 000003
【図２】
2020094704.tif 000004
【図３】
2020094704.tif 000005
【図４】
2020094704.tif 000006
【図５】
2020094704.tif 000007
【図６】
2020094704.tif 000008